(57)【要約】【課題】  放射線の照射を受けて発生した電荷を蓄積して放射線画像を記録する放射線画像検出器であって、放射線画像を出力するための画像信号が読み取られる前に、先読画像信号の読取りが行われる放射線画像検出器において、安定した先読画像信号を取得する。【解決手段】  放射線画像の画素に対応して設けられた蓄電部２０に第１の蓄積部１２ａと第１の蓄積部１２ａよりも容量の小さい第２の蓄積部１２ｂとを設け、第１の蓄積部１２ａに蓄積された第１の画像信号を放射線画像出力用として読み取るとともに、第２の蓄積部１２ｂに蓄積された第２の画像信号を先読画像信号として読み取る。【選択図】          図２
2005295311.tif 000002
【特許請求の範囲】
【請求項１】
放射線画像を担持した放射線の照射を受けて発生した電荷を、前記放射線画像を構成する画素に対応して多数設けられた蓄電部に蓄積して前記放射線画像を記録する放射線画像検出器において、
前記蓄電部が、第１の容量を有する第１の蓄積部と前記第１の容量より小さい第２の容量を有する第２の蓄積部とを有することを特徴とする放射線画像検出器。
【請求項２】
前記蓄電部が、前記第１の蓄積部と第２の蓄積部とを接続して前記第１の蓄積部の電位と第２の蓄積部の電位とを同じにするスイッチを有することを特徴とする請求項１記載の放射線画像検出器。
【請求項３】
前記蓄電部が、前記第１の蓄積部と第２の蓄積部をリセットするリセットスイッチを有することを特徴とする請求項１または２記載の放射線画像検出器。
【請求項４】
放射線画像を担持した放射線の照射を受けて発生した電荷を、前記放射線画像を構成する画素に対応して多数設けられた蓄電部に蓄積して前記放射線画像を記録する放射線画像検出器において、
前記蓄電部が、第１の蓄積部と、第２の蓄積部と、前記第１の蓄積部と第２の蓄積部とを接続して前記第１の蓄積部の電位と第２の蓄積部の電位とを同じにするスイッチとを有することを特徴とする放射線画像検出器。
【請求項５】
前記第２の蓄積部の第２の容量が、前記第１の蓄積部の第１の容量よりも小さいことを特徴とする請求項４記載の放射線画像検出器。
【請求項６】
前記蓄電部が、前記第１の蓄積部と第２の蓄積部をリセットするリセットスイッチを有することを特徴とする請求項４または５記載の放射線画像検出器。
【請求項７】
請求項１から６いずれか１項記載の放射線画像検出器から前記放射線画像に応じた画像信号を読み取る放射線画像読取方法において、
前記第１の蓄積部から該第１の蓄積部に蓄積されている第１の画像信号を読み取るとともに、前記第２の蓄積部から該第２の蓄積部に蓄積されている第２の画像信号を読取ることを特徴とする放射線画像読取方法。
【請求項８】
前記第１の蓄積部から読み取られた第１の画像信号が、前記放射線画像を出力するためのものであり、
前記第２の蓄積部から読み取られた第２の画像信号が、前記第１の画像信号に所定の処理を施すためのものであることを特徴とする請求項７記載の放射線画像読取方法。
【請求項９】
前記第１の蓄積部から読み取られた第１の画像信号が、前記放射線画像を出力するためのものであり、
前記第２の蓄積部から読み取られた第２の画像信号が、前記放射線画像検出器から前記第１および第２の画像信号が読み取られた後の読取済放射線画像検出器に照射される消去光の光量を設定するために用いられるものであることを特徴とする請求項７または８記載の放射線画像読取方法。
【請求項１０】
請求項１から６いずれか１項記載の放射線画像検出器から前記放射線画像に応じた画像信号を読み取る読取手段を備えた放射線画像読取装置において、
前記読取手段が、前記第１の蓄積部から該第１の蓄積部に蓄積されている第１の画像信号を読み取るとともに、前記第２の蓄積部から該第２の蓄積部に蓄積されている第２の画像信号を読取るものであることを特徴とする放射線画像読取装置。
【請求項１１】
前記第１の蓄積部から読み取られた第１の画像信号が、前記放射線画像を出力するためのものであり、
前記第２の蓄積部から読み取られた第２の画像信号が、前記第１の画像信号に所定の処理を施すためのものであることを特徴とする請求項１０記載の放射線画像読取装置。
【請求項１２】
前記第１の蓄積部から読み取られた第１の画像信号が、前記放射線画像を出力するためのものであり、
前記第２の蓄積部から読み取られた第２の画像信号が、前記放射線画像検出器から前記第１および第２の画像信号が読み取られた後の読取済放射線画像検出器に照射される消去光の光量を設定するために用いられるものであることを特徴とする請求項１０または１１記載の放射線画像読取装置。
【発明の詳細な説明】
【技術分野】
【０００１】
本発明は、放射線画像を担持した放射線の照射を受けて電荷を発生し、その電荷を蓄積して上記放射線画像を記録する放射線画像検出器並びにその放射線画像検出器から上記放射線画像を読み取る放射線画像読取方法および装置に関するものである。
【背景技術】
【０００２】
従来、医療分野などにおいて、被写体を透過した放射線の照射を受けて被写体に関する放射線画像を記録し、その記録された放射線画像に応じた電気信号を出力する放射線画像検出器が各種提案、実用化されている。
【０００３】
上記放射線画像検出器としては、たとえば、放射線の照射により電荷を発生する半導体材料を利用した放射線画像検出器があり、そのような放射線画像検出器として、いわゆるＴＦＴ読取方式のものが提案されている。
【０００４】
上記放射線画像検出器は、放射線画像を構成する画素に対応して多数設けられた蓄電部を有し、放射線の照射を受けて発生した電荷をその蓄電部に蓄積することにより放射線画像を記録する。そして、上記蓄電部の設けられたＴＦＴスイッチがＯＮ・ＯＦＦ制御されて蓄電部に蓄積された電荷が読み出され、放射線画像の読取りが行われる。
【０００５】
ここで、上記のような放射線画像検出器を用いて画像信号を取得する際、放射線画像検出器から出力された電気信号はＡ／Ｄ変換器によりデジタル化されるが、放射線画像検出器に蓄積される電荷信号の大きさの範囲、つまり放射線画像検出器から出力される電気信号の大きさの範囲はＡ／Ｄ変換器のダイナミックレンジに対して狭いため、ビット分解能が低下し、特に低線量側の電気信号についてはその信号の大きさが小さいため量子化ノイズが目立ってしまう。そこで、たとえば、特許文献１においては、画像信号を取得する前に、その画像信号の取得時よりも短い時間でＴＦＴスイッチをＯＮさせて先読みを行い、その先読みにより得られた先読画像信号によりその後に読み取られた画像信号を規格化してＡ／Ｄ変換器のダイナミックレンジに合った規格化画像信号を得、上記のようなビット分解能の低下を回避する方法が提案されている。
【０００６】
【特許文献１】特開２００１−２８３２０９号公報
【発明の開示】
【発明が解決しようとする課題】
【０００７】
しかしながら、各蓄電部を接続する配線抵抗の時定数の影響により各蓄電部から電荷を読み出す際の応答速度にはばらつきがあり、上記特許文献１に記載の方法のようにＴＦＴスイッチを短時間ＯＮすることにより先読みを行うようにしたのでは、その応答速度のばらつきの影響が大きくなって全ての蓄電部から安定した先読画像信号を読み取ることができず、安定した濃度の放射線画像を取得することができない。
【０００８】
本発明は、上記事情に鑑み、上記のような放射線画像検出器並びに放射線画像読取方法及び装置において、安定した先読画像信号を読み取ることができ、安定した濃度の放射線画像を取得することができる放射線画像検出器並びに放射線画像読取方法および装置を提供することを目的とするものである。
【課題を解決するための手段】
【０００９】
本発明の第１の放射線画像検出器は、放射線画像を担持した放射線の照射を受けて発生した電荷を、放射線画像を構成する画素に対応して多数設けられた蓄電部に蓄積して放射線画像を記録する放射線画像検出器において、蓄電部が、第１の容量を有する第１の蓄積部と第１の容量より小さい第２の容量を有する第２の蓄積部とを有することを特徴とするものである。
【００１０】
また、上記第１の放射線画像検出器においては、蓄電部を、第１の蓄積部と第２の蓄積部とを接続して第１の蓄積部の電位と第２の蓄積部の電位とを同じにするスイッチを有するものとすることができる。
【００１１】
また、蓄電部を、第１の蓄積部と第２の蓄積部をリセットするリセットスイッチを有するものとすることができる。
【００１２】
本発明の第２の放射線画像検出器は、放射線画像を担持した放射線の照射を受けて発生した電荷を、放射線画像を構成する画素に対応して多数設けられた蓄電部に蓄積して放射線画像を記録する放射線画像検出器において、蓄電部が、第１の蓄積部と、第２の蓄積部と、第１の蓄積部と第２の蓄積部とを接続して第１の蓄積部の電位と第２の蓄積部の電位とを同じにするスイッチとを有することを特徴とするものである。
【００１３】
また、上記第２の放射線画像検出器においては、第２の蓄積部の第２の容量を、第１の蓄積部の第２の容量よりも小さくするようにすることができる。
【００１４】
また、蓄電部を、第１の蓄積部と第２の蓄積部をリセットするリセットスイッチを有するものとすることができる。
【００１５】
本発明の放射線画像読取方法は、上記第１および第２の放射線画像検出器から放射線画像に応じた画像信号を読み取る放射線画像読取方法において、第１の蓄積部からその第１の蓄積部に蓄積されている第１の画像信号を読み取るとともに、第２の蓄積部からその第２の蓄積部に蓄積されている第２の画像信号を読取ることを特徴とする。
【００１６】
また、上記放射線画像読取方法においては、第１の蓄積部から読み取られた第１の画像信号を、放射線画像を出力するためのものとし、第２の蓄積部から読み取られた第２の画像信号を、第１の画像信号に所定の処理を施すためのものとすることができる。
【００１７】
また、第１の蓄積部から読み取られた第１の画像信号を、放射線画像を出力するためのものとし、第２の蓄積部から読み取られた第２の画像信号を、放射線画像検出器から第１および第２の画像信号が読み取られた後の読取済放射線画像検出器に照射される消去光の光量を設定するために用いられるものとすることができる。
【００１８】
本発明の放射線画像読取装置は、上記第１および第２の放射線画像検出器から放射線画像に応じた画像信号を読み取る読取手段を備えた放射線画像読取装置において、読取手段が、第１の蓄積部からその第１の蓄積部に蓄積されている第１の画像信号を読み取るとともに、第２の蓄積部からその第２の蓄積部に蓄積されている第２の画像信号を読取るものであることを特徴とする。
【００１９】
また、上記放射線画像読取装置においては、第１の蓄積部から読み取られた第１の画像信号を、放射線画像を出力するためのものとし、第２の蓄積部から読み取られた第２の画像信号を、第１の画像信号に所定の処理を施すためのものとすることができる。
【００２０】
また、第１の蓄積部から読み取られた第１の画像信号を、放射線画像を出力するためのものとし、第２の蓄積部から読み取られた第２の画像信号を、放射線画像検出器から第１および第２の画像信号が読み取られた後の読取済放射線画像検出器に照射される消去光の光量を設定するために用いられるものとすることができる。
【発明の効果】
【００２１】
本発明の第１および第２の放射線画像検出器並びに放射線画像読取方法および装置によれば、放射線画像の画素に対応して設けられた蓄電部に第１の蓄積部と第２の蓄積部とを設けるようにしたので、第１の蓄積部または第２の蓄積部のいずれか一方の蓄積された電荷を先読画像信号として読み取るようにすれば、十分な先読画像信号の取得時間を確保することができるので、安定した先読画像信号を取得することができ、安定した濃度の放射線画像を取得することができる。
【００２２】
また、第２の蓄積部の第２の容量を第１の蓄積部の第１の容量よりも小さくし、その容量比に応じた電荷を第１および第２の蓄積部にそれぞれ蓄積するようにした場合には、第２の蓄積部に蓄積された電荷を先読画像信号として読み取るとともに、第１の蓄積部に蓄積された電荷を放射線画像を出力するための画像信号として読み取るようにすれば、画像信号のＳ/Ｎの劣化を抑えつつ、安定した先読画像信号を取得することができる。
【００２３】
また、たとえば、蓄電部が配線を介して電流検出アンプに接続されているような場合、その電流検出アンプの入力オフセット電圧によって第１の蓄積部および第２の蓄積部に残留する電荷が生じてしまうが、本発明の放射線画像検出器において蓄電部に第１の蓄積部と第２の蓄積部をリセットするリセットスイッチを設けるようにした場合には、上記残留電荷を消去することができる。
【００２４】
また、本発明の放射線画像読取方法および装置において、第１の蓄積部から読み取られた第１の画像信号を、放射線画像を出力するためのものとし、第２の蓄積部から読み取られた第２の画像信号を、放射線画像検出器から第１および第２の画像信号が読み取られた後の読取済放射線画像検出器に照射される消去光の光量を設定するために用いられるものとした場合には、たとえば、可視画像として出力される放射線画像のＳ/Ｎの劣化を抑えつつ、適切な消去光の設定を行うようにすることができる。
【発明を実施するための最良の形態】
【００２５】
以下、図面を参照して本発明の放射線画像検出器並びに放射線画像読取方法および装置の一実施形態について説明する。
【００２６】
まず、本発明の放射線画像検出器の一実施形態について説明する。
【００２７】
本放射線画像検出器１０は、図１に示すように、放射線の照射を受けて電荷を発生する放射線変換層１１と放射線変換層１１において発生した電荷を蓄積する電荷検出層１２とを有している。
【００２８】
放射線変換層１１は、たとえば、ａ−Ｓｅなどの材料から形成するようにすればよい。
【００２９】
検出層１２は、具体的には、図２に示すような回路が構成されたものであり、放射線画像検出器１０に記録される放射線画像を構成する画素に対応して多数設けられた蓄電部２０を有するものである。
【００３０】
各蓄電部２０は、図２に示すように、第１の容量Ｃ１を有する第１の蓄積部１２ａと、第１の容量Ｃ１より小さい第２の容量Ｃ２を有する第２の蓄積部１２ｂと、第１の蓄積部１２ａに蓄積された電荷を読出可能にする第１のスイッチ１２ｃと、第２の蓄積部１２ｄに蓄積された電荷を読出可能にする第２のスイッチ１２ｄと、第１の蓄積部１２ａの電位と第２の蓄積部１２ｂの電位とを同じにする、つまり図２におけるＡ点とＢ点との電位を同じにする第３のスイッチ１２ｅとを備えている。そして、各蓄電部２０は、多数平行に配列されたソースライン１３に接続されている。
【００３１】
次に、本放射線画像検出器１０に放射線画像を記録する際の作用について説明する。
【００３２】
本放射線画像検出器１０に放射線画像を記録する際には、まず、被写体を透過してその被写体の放射線画像を担持した放射線が、放射線画像検出器１０の放射線変換層１１側から照射される。このとき、電荷検出層１２における各蓄電部２０においては、第１のスイッチ１２ａと第２のスイッチ１２ｂとがＯＦＦされ、第３のスイッチ１２ｅだけがＯＮされている。
【００３３】
そして、上記のような放射線の照射により放射線変換層１１において照射された放射線の線量に応じた電荷が発生し、この電荷は第１の蓄積部１２ａおよび第２の蓄積部１２ｂに第１の画像信号および第２の画像信号として蓄積される。そして、このときの第１の蓄積部１２ａに蓄積される電荷量をＱ１、第２の蓄積部１２ｂに蓄積される電荷量をＱ２、Ａ点の電位とＢ点の電位をＶＡおよびＶＢとすると、第１および第２の蓄積部１２ａ，１２ｂに蓄積される電荷量Ｑ１，Ｑ２は、Ｑ１＝Ｃ１×ＶＡ、Ｑ２＝Ｃ２×ＶＢとなる。
【００３４】
そして、上記のように第３のスイッチ１２ｅはＯＮした状態であるのでＶＡ＝ＶＢとなり、その結果、Ｑ１：Ｑ２＝Ｃ１：Ｃ２となり、容量比に応じた電荷量が第１および第２の蓄積部１２ａ，１２ｂに蓄積される。つまり、第１の蓄積部１２ａよりも第２の蓄積部１２ｂの方が小さい電荷量が蓄積されることになる。
【００３５】
次に、上記のようにして放射線画像を記録した放射線画像検出器１０から放射線画像に応じた画像信号を読取る本発明の放射線画像読取方法および放射線画像読取装置の一実施形態について説明する。
【００３６】
本放射線画像読取装置は、上記のように構成された放射線画像検出器１０の各ソースライン１３に接続された、各ソースライン１３から流れ出した第１および第２の画像信号を検出する電流検出アンプ１４と、放射線画像検出器１０の電荷検出層１２の各蓄電部２０における第１のスイッチ１２ｃ、第２のスイッチ１２ｄおよび第３のスイッチ１２ｅのＯＮまたはＯＦＦを制御するスイッチ制御手段１５とを有する読取手段を備えている。
【００３７】
そして、放射線画像読取装置の読取手段は、まず、放射線画像検出器１０の蓄電部２０における第２の蓄積部１２ｂに蓄積された第２の画像信号を先読画像信号として読み取る。具体的には、スイッチ制御手段１５により第２のスイッチ１２ｄをＯＮするとともに、第３のスイッチ１２ｅをＯＦＦにし、第２の蓄積部１２ｂに蓄積された第２の画像信号をソースライン１３に出力させる。そして、ソースライン１３に流れ出した第２の画像信号を電流検出アンプ１４により検出することにより先読画像信号を取得する。上記のようなスイッチ制御を蓄電部２０毎に行って画素毎の先読画像信号を取得する。
【００３８】
そして、次に、放射線画像読取装置の読取手段は、放射線画像検出器１０の蓄電部２０における第１の蓄積部１２ａに蓄積された第１の画像信号を、可視画像として放射線画像を出力するための本読画像信号として読み取る。具体的には、スイッチ制御手段１５により第１のスイッチ１２ｃをＯＮするとともに、第２のスイッチ１２ｄをＯＦＦにし、第１の蓄積部１２ａに蓄積された第１の画像信号をソースライン１３に出力させる。そして、ソースライン１３に流れ出した第１の画像信号を電流検出アンプ１４により検出することにより本読画像信号を取得する。上記のようなスイッチ制御を蓄電部２０毎に行って画素毎の本読画像信号を取得する。
【００３９】
そして、上記のようにして読み取られた本読画像信号は先読画像信号に基づいて規格化処理が施され、その規格化処理の施された規格化画像信号に基づいて放射線画像が可視画像としてモニタなどに出力される。
【００４０】
上記実施形態の放射線画像検出器並びに放射線画像読取方法および装置によれば、放射線画像の画素に対応して設けられた蓄電部２０に第１の蓄積部１２ａと第２の蓄積部１２ｂとを設け、第２の蓄積部１２ｂに蓄積された第２の画像信号を先読画像信号として読み取るようにしたので、十分な先読画像信号の取得時間を確保して安定した先読画像信号を取得することができ、安定した濃度の可視画像を表示することができる。
【００４１】
また、上記実施形態の放射線画像検出器１０においては、第１の蓄積部１２ａおよび第２の蓄積部１２ｂから第１および第２の画像信号を読み出すために第１のスイッチ１２ｃおよび第２のスイッチ１２ｄをそれぞれ設けるようにしたが、図３に示すように、これらのスイッチを共用した第４のスイッチ１２ｆを設けるようにしてもよい。図３に示すように蓄電部２０を構成するようにした場合には、放射線画像を記録する際には、スイッチ制御手段１５により第３のスイッチ１２ｅをＯＮするとともに第４のスイッチ１２ｆをＯＦＦにし、第２の蓄積部１２ｂに蓄積された第２の画像信号、つまり先読画像信号を読み取る際には、第３のスイッチ１２ｅをＯＦＦするとともに第４のスイッチ１２ｆをＯＮにし、第１の蓄積部１２ａに蓄積された第１の画像信号、つまり本読画像信号を読み取る際には、第３および第４のスイッチ１２ｅ，１２をともにＯＮするようにすればよい。
【００４２】
また、上記実施形態の放射線画像検出器１０の蓄電部２０における第１の蓄積部１２ａおよび第２の蓄積部１２ｂの第１の容量Ｃ１と第２の容量Ｃ２の比としては、たとえば、Ｃ１：Ｃ２＝９９：１とすればよい。上記のような比にすることにより本読画像信号のＳ/Ｎの劣化を抑えつつ、先読画像信号を取得することができる。
【００４３】
また、上記実施形態の放射線画像読取装置により先読画像信号を取得する際には、上記のように蓄電部２０毎の先読画像信号を取得するのではなく、互いに隣接する複数の蓄電部２０毎の先読画像信号を取得するようにしてもよい。具体的には、図４に示すように、複数のソースライン１３から出力された先読画像信号を加算する加算手段３０を設け、先読画像信号の取得の際に、互いに隣接する複数の蓄電部２０の第２のスイッチ１２ｄを同時にＯＮするようにすればよい。そして、たとえば、上記のように放射線画像検出器１０の蓄電部２０における第１の容量Ｃ１と第２の容量Ｃ２の比をＣ１：Ｃ２＝９９：１とした場合には、１０×１０＝１００個の第２の蓄積部１２ｂに蓄積された第２の画像信号を取得するようにすればよい。具体的には、１０本のソースライン１３を加算手段３０に接続し、その各ソースライン１３に接続された１０個の第２の蓄積部１２ｂに蓄積された第２の画信号を同時に読み出すようにすればよい。上記のようにして先読画像信号を取得することにより、本読画像信号と同程度の大きさの信号を取得することができる。
【００４４】
また、上記実施形態の放射線画像検出器１０の蓄電部２０毎に、図５（ａ）に示すように、第１および第２の蓄積部１２ａ，１２ｂをリセットする、つまり蓄積された電荷量を０にするリセットスイッチ１２ｇを設けるようにしてもよい。上記のようにリセットする場合には、スイッチ制御手段１５によりリセットスイッチ１２ｇおよび第３のスイッチ１２ｅをＯＮするようにすればよい。また、上記リセットスイッチは、図５（ｂ）に示すように、第１の蓄積部１２ａおよび第２の蓄積部１２ｂのそれぞれについて設けるようにしてもよい。図５（ｂ）のように構成した場合には、スイッチ制御手段１５によりリセットスイッチ１２ｇ，１２ｈおよび第３のスイッチ１２ｅをＯＮしてリセットするようにすればよい。なお、上記リセットは、放射線画像の記録直前に行ってもよいし、放射線画像検出器１０に消去光を照射して残存電荷の消去を行った後に行うようにしてもよい。なお、上記のようにリセットを行うことにより、電流検出アンプ１４の入力オフセット電圧Ｖｏｆｓによって第１の蓄積部１２ａおよび第２の蓄積部１２ｂに残留する電荷を０にすることができる。
【００４５】
また、上記実施形態の放射線画像検出器１０においては、第２の容量Ｃ２が第１の容量Ｃ１よりも小さくなるようにしたが、これに限らず、同じ大きさとしてもよい。
【００４６】
また、図２に示す実施形態の放射線画像検出器１０においては、第１の蓄積部１２ａの電位と第２の蓄積部１２ｂの電位とを同じにする第３のスイッチ１２ｅを設けるようにしたが、必ずしも設けなくてもよい。
【００４７】
また、上記実施形態の放射線画像読取装置においては、第２の画像信号を先読画像信号として取得するようにしたが、これに限らず、たとえば、第２の画像信号を利用し、放射線画像検出器１０から第１および第２の画像信号が読み取られた後の放射線画像検出器１０に照射される消去光の光量を設定するようにしてもよい。なお、上記のように消去光を照射する際には、図２に示す放射線画像検出器１０においては、第１、第２および第３のスイッチ１２ｃ，１２ｄ，１２ｅの少なくとも２つをＯＮするようにすればよく、図３に示す放射線画像検出器１０においては、第３および第４のスイッチ１２ｅ，１２ｆをＯＮするようにすればよい。
【００４８】
また、上記のように第２の画像信号を先読画像信号として取得した場合には、その先読画像信号を利用して本読画像信号を取得する際の読取条件を設定するようにしてもよい。なお、上記読取条件としては、たとえば、本読画像信号を取得する際のアンプのゲインや本読画像信号に付加されるオフセットなどがある。
【００４９】
また、必ずしも第２の画像信号を読み取った後に第１の画像信号を読み取るようにする必要はなく、第２の画像信号の用途によっては第１の画像信号から読み取るようにしてもよい。
【図面の簡単な説明】
【００５０】
【図１】本発明の放射線画像検出器の一実施形態の斜視図
【図２】図１に示す放射線画像検出器の一実施形態における電荷検出層の概略構成図
【図３】本発明の放射線画像検出器のその他の実施形態の蓄電部の構成を示す図
【図４】本発明の放射線画像読取方法および装置の一実施形態を説明するための図
【図５】本発明の放射線画像検出器のその他の実施形態の蓄電部の構成を示す図
【符号の説明】
【００５１】
１０  放射線画像検出器
１１  放射線変換層
１２  電荷検出層
１２ａ  第１の蓄積部
１２ｂ  第２の蓄積部
１２ｃ  第１のスイッチ
１２ｄ  第２のスイッチ
１２ｅ  第３のスイッチ
１２ｆ  第４のスイッチ
１２ｇ，１２ｈ  リセットスイッチ
１３  ソースライン
１４  電流検出アンプ
１５  スイッチ制御手段
２０  蓄電部
３０  加算手段
【図１】
2005295311.tif 000003
【図２】
2005295311.tif 000004
【図３】
2005295311.tif 000005
【図４】
2005295311.tif 000006
【図５】
2005295311.tif 000007